(57)【特許請求の範囲】
【請求項１】
窓（３）を通して次々と表示される３１個の数字（２）が記され、第１のレベル（２０）に位置する３１個の内歯（４）を有する日リング（１）と、
２４時間で１回転する、前記日リング（１）のための回し車（５）と、
前記回し車（５）に保持されてこれと一緒に回転する機構（１０）と、
を備え、該機構（１０）は、毎日の終わりに前記日リング（１）の歯（４）を一段階進める第１のフィンガ（６）を有する時計用の年間カレンダ装置において、
前記機構（１０）は、３１日に満たない月の最終日の終わりに、前記日リング（１）を一段階追加して駆動する第２のフィンガ（７）を有し、該第２のフィンガ（７）は、前記駆動の目的のため、前記日リング（１）の第２のレベル（２１）に位置する歯部（８）により起動されるものであり、また、該第２のフィンガ（７）は、運動連鎖（９）により前記歯部（８）に接続され、
前記運動連鎖（９）は、
前記第１のフィンガ（６）および前記第２のフィンガ（７）を有する前記機構（１０）と、
前記機構（１０）を介して前記第２のフィンガ（７）を起動する５つの突起部（３０〜３４）をもつ月カム（１１）と、
前記月カム（１１）に固定された月星形車（１２）と、
前記月星形車（１２）とかみ合っている中間伝え車（１３）と、を含み、
前記中間伝え車（１３）は、毎月の終わりに前記歯部（８）とかみ合うこと
を特徴とする、時計用の年間カレンダ装置。
【請求項２】
前記月カム（１１）に固定された前記月星形車（１２）は、ディスク（１４）を保持して、ディスク（１４）上には月名（１５）が記されており、これらの月名は、窓（１６）を通して次々と表示されることを特徴とする、請求項１に記載の装置。
【請求項３】
前記日リング（１）の前記回し車（５）により保持される前記機構（１０）は、
前記回し車（５）により保持されたアーバ（１８）に固定され、その周辺部に舌部（１９）を有し、この舌部から前記第１のフィンガ（６）および前記第２のフィンガ（７）が延出して、前記第２のフィンガ（７）が前記舌部（１９）の端に配置されている、第１のプレート（１７）と、
前記第２のフィンガ（７）の背面（２４）付近で前記第１のプレート（１７）を貫通し、さらに前記回し車（５）に形成された第１の楕円形開口部（２５）を貫通している第１の引っ掛け部（２３）と、
前記第１のプレート（１７）の上に配置されて、前記回し車（５）に対して直径方向に動くことができ、前記第１の引っ掛け部（２３）および前記第２のフィンガ（７）と直径方向反対側にあるヒール部（２９）と、を有する、第２のプレート（２２）と、
前記舌部（１９）の背面（２７）付近で前記第１のプレート（１７）を貫通し、さらに前記回し車（５）に形成された第２の楕円形開口部（２８）を貫通している第２の引っ掛け部（２６）と、を具備し、
前記ヒール部（２９）は、前記月カム（１１）の前記突起部（３０〜３４）の軌道内に配置されており、前記ヒール部（２９）は、前記月カム（１１）の突起部（３０）により押されると、前記第２のフィンガ（７）を前記日リング（１）の歯（４）の軌道内に入り込ませることを特徴とする、請求項１または２に記載の装置。
【請求項４】
前記日リング（１）の前記内歯（４）に作用する第１のジャンパばね（４０）と、前記月星形車（１２）の歯に作用する第２のジャンパばね（４２）とを備えることを特徴とする、請求項１または２に記載の装置。
【発明の詳細な説明】
【技術分野】
【０００１】
本発明は、年間カレンダ装置に関するものであり、これは、窓を通して次々と表示される３１個の数字が記された日リングを備え、このリングは第１のレベルに位置する３１個の内歯を有するものであり、装置はさらに、２４時間で１回転する、日リングのための回し車と、この回し車（５）に保持されてこれと一緒に回転する機構（１０）とを備え、この機構（１０）は、毎日の終わりに日リングの歯を一段階進める第１のフィンガを有する。
【背景技術】
【０００２】
“年間カレンダ装置”とは、３１日に満たない月の終わりに、日リングを一段階追加して自動的に前進させるシステムのことであるが、２月のカレンダーにおいては、２月の終わりには手動補正を必要としている。しかしながら、この種の補正は、いわゆる永久カレンダ装置を備える時計では、自動的に行われる。年間カレンダ装置は、時計学文献に開示されており、例として、ここでは欧州特許第１６６６９９１号を引用し、その動作について以下で簡単に述べる。
【０００３】
上記文献に開示されている年間カレンダ機構は、日リングのための回し車を有し、これは、日リングを毎日１回駆動する第１のフィンガと、３１日に満たない月の終わりに、５つの引っ掛け部を持つプレートを駆動する第２のフィンガとを備え、このプレートは、日リングに同軸に配置された年車に固定されている。中間車によって、各月の終わりに年車が日リングに接続される。年車は、１年の月数の２倍の数の歯を有し、一方、中間車は、年車とかみ合う第１の歯車と、この第１の歯車に固定された第２の歯車とを有している。この第２の歯車は、各月の終わりに、日リングの内側に配された引っ掛け部とかみ合う。
【発明の概要】
【発明が解決しようとする課題】
【０００４】
上記のことから、回し車と一体である第１のフィンガは、毎日、日リングを直接駆動するけれども、同じく回し車と一体である第２のフィンガは、日リングを、５つの引っ掛け部を持つプレートと、年車と、重なり合った２つの歯車からなる中間車とを含む運動連鎖を介して、間接的にのみ駆動することは明らかである。最終的には、中間車が、３１日に満たない月の終わりに日リングを一段階追加して進める。この運動連鎖はエネルギーを消費するものであり、３１日に満たない月の終わりに、同様に回し車に設けられている第２のフィンガが中間部品を介することなく日リングを直接駆動することができれば、かなりの節減が可能であることは、明らかであろう。本発明の目的は、このような節減を行うことである。
【課題を解決するための手段】
【０００５】
本発明は、本明細書の第１パラグラフで示した包括的規定に従うものであることに加えて、日回し車により保持される機構が、３１日に満たない月の終わりに日リングを一段階追加して駆動する第２のフィンガを備え、この第２のフィンガは、上記駆動を目的として、日リングの第２レベルに位置する歯部によって起動されるものであり、第２のフィンガは適当な運動連鎖によって上記歯部に接続されているという点で、優れたものである。
【０００６】
さらに、本発明のその他の効果として、周知の現状技術の実施形態において一般的である３つのジャンパばねに代えて、本発明がジャンパばねを２つしか必要としないことについて記載する。
【０００７】
本発明の特徴および効果は、限定するものではない説明のための例として日リングの効果的な実施形態を提示し、添付の図面を参照して行われる以下の説明から明らかになるであろう。
【図面の簡単な説明】
【０００８】
【図１】図１は、本発明に係る年間カレンダ装置の全体平面図である。
【図２】図２は、図１に示す線ＩＩ‐ＩＩに沿った拡大断面図である。
【図３】図３は、日回し車およびそれに付属する機構の平面図である。図１では、この日回し車をより小さい縮尺でのみ表示している。
【図４】図４は、図３に示す線ＩＶ‐ＩＶに沿った断面図である。
【図５ａ】図５ａは、４月３０日の時刻２２：００における年間カレンダ装置の様子を示している。
【図５ｂ】図５ｂは、図５ａと同じ日の同じ時刻すなわち時刻ｔ０における装置の詳細をより大きな縮尺で示している。
【図６ａ】図６ａは、４月３０日の時刻２２：４５すなわち時刻ｔ１における装置の状態を示している。
【図６ｂ】図６ｂは、４月３０日の時刻２２：４５すなわち時刻ｔ１における装置の状態を示している。
【図７ａ】図７ａは、４月３０日の時刻２３：２０すなわち時刻ｔ２における装置の状態を示している。
【図７ｂ】図７ｂは、４月３０日の時刻２３：２０すなわち時刻ｔ２における装置の状態を示している。
【図８ａ】図８ａは、５月１日の時刻００：００すなわち時刻ｔ３における装置の状態を示している。
【図８ｂ】図８ｂは、５月１日の時刻００：００すなわち時刻ｔ３における装置の状態を示している。
【図９ａ】図９ａは、５月１日の時刻００：３０すなわち時刻ｔ４における装置の状態を示している。
【図９ｂ】図９ｂは、５月１日の時刻００：３０すなわち時刻ｔ４における装置の状態を示している。
【図１０ａ】図１０ａは、５月１日の時刻０１：１５すなわち時刻ｔ５における装置の状態を示している。
【図１０ｂ】図１０ｂは、５月１日の時刻０１：１５すなわち時刻ｔ５における装置の状態を示している。
【図１１ａ】図１１ａは、５月１日の時刻０２：００すなわち時刻ｔ６における装置の状態を示している。
【図１１ｂ】図１１ｂは、５月１日の時刻０２：００すなわち時刻ｔ６における装置の状態を示している。
【図１２ａ】図１２ａは、５月１日の時刻０２：３０すなわち時刻ｔ７における装置の状態を示している。
【図１２ｂ】図１２ｂおよび１２ｂは、５月１日の時刻０２：３０すなわち時刻ｔ７における装置の状態を示している。
【発明を実施するための形態】
【０００９】
以下、図１および図２を参照して、本発明の根底をなす本旨について説明する。図１は、機構の状態を、時刻ｔ５すなわち５月１日の時刻０１：１５を選択して示した、日付装置の全体平面図であり、図２は、図１の線ＩＩ‐ＩＩに沿った同装置の拡大断面図である。この年間カレンダ装置は、窓３を通して次々と表示される３１個の数字２が記された日リング１を備える。リング１は、図２に示すように、第１のレベル２０に位置する３１個の内歯４を有している。装置はさらに、日リング１を駆動する回し車５を備える。この回し車５は、図２に示すように、筒車５２の筒かな５１上で駆動される歯車５０により駆動されて、２４時間で１回転する。この回し車５は、参照記号１０で示す機構を保持している。この機構は、回し車５と一緒に回転するもので、以下でさらに詳細に説明する。これは、毎日の終わりに日リング１の歯４を一段階進める第１のフィンガ６を有している。以上は、当該技術分野において周知のものである。
【００１０】
上記の周知装置に対して、本発明の日付装置は、回し車５により保持されてこれと一緒に回転する機構１０が、図１および２に示すように、第２のフィンガ７を有するという優れた独特の構成を特徴とする。この第２のフィンガ７は、回し車５により直接駆動されて、これにより、３１日に満たない月の最終日の終わりに日リング１を一段階追加して進める。日リングを駆動するために、第２のフィンガ７は、図２に示すように、日リングの第２のレベル２１に位置する歯部８により起動され、この起動によって、フィンガ７は日リング１の歯４の軌道内に押し込まれる。この目的のため、第２のフィンガ７が適当な運動連鎖９により歯部８に接続されていることは、図から明らかである。このように、本発明の装置では、３１日に満たない月の終わりに、回し車５に直接接続されている第２のフィンガ７によって、日リングが駆動される。
【００１１】
上記の適当な運動連鎖９は、第２のフィンガ７の動きを制御して、第２のフィンガを日リング１の歯４の軌道内に配置し、これにより、３１日に満たない月の最終日にリングを一段階進めるようにするためのものであって、これは、第１と第２のフィンガ６、７を備える機構１０を含んでいる。この機構１０およびこれに付属するフィンガ６，７は、上記のように、回し車５と一緒に回転する。連鎖は、さらに月カム１１を含み、これは、５つの突起部３０〜３４を有し、これらは、３１日に満たない月、すなわち４月、６月、９月、１１月、および２月にそれぞれ対応している。突起部３０〜３４は、機構１０を介して順に第２のフィンガ７を起動する。最後に、連鎖９は、月カム１１と同軸状に一体であって１年で１回転する月星形車１２と、この星形車１２にかみ合っている中間伝え車１３とを含み、この中間伝え車１３は、毎日の終わりに、日リング１の第２のレベル２１に位置する歯部８とかみ合う。
【００１２】
以上の説明から、リングの歯部８により制御される運動連鎖９の機能は、フィンガ７をリング１の歯４と向かい合わせに挿入することのみであって、リングを駆動することではないことは明らかであり、これは、駆動が、日回し車５により動かされるフィンガ７によって行われるからである。
【００１３】
図２に示すように、カム１１と一体である星形車１２はディスク１４を保持しており、この上には、図１に示すように月名１５が記されている。これらの月名は、窓１６を通して次々と表示される。月名は、２度表示され、従って各月の終わりに窓を２度通過する。この小さな欠点は、本明細書で提案する装置に起因するものであり、２つのさらなる要素を装置に追加することにより回避することができる。つまり、月が変わるときに月名が１度だけ表示されるようにすることができる。このために、月星形車１２上で自由に回転するように取り付けられる月ディスク１４の下に、追加の星形車を固定する。この追加の星形車は、上記欧州特許第１６６６９９１号で開示されているように、中間伝え車１３に固定される追加の歯車により制御される。これらの要素の追加によって、月名の文字をより大きくすることが可能であるが、しかし、それらは時計の厚さの増加につながる。
【００１４】
日回し車５に保持されてこれと一緒に回転する機構１０について、以下、図３の平面図および図４の断面図を参照して、より具体的に説明する。この断面は、図３の線ＩＶ‐ＩＶに沿ったものである。この機構１０は、その他の可能な機構の中から選択されたものであって、本発明の範囲を限定するものでは決してなく、重要な点は、それが回し車５に結合されてこれと一緒に回転し、第１および第２のフィンガ６、７を含み、第１のものは毎日の終わりに作動し、第２のものは３１日に満たない月の最終日の終わりに作動することである。
【００１５】
図３および４は、日回し車５により保持される機構１０が、回し車５により保持されるアーバ１８に固定された第１のプレート１７を含んでいることを示している。第１のプレート１７の周辺部には舌部１９があり、ここから第１および第２のフィンガ６、７が延出して、第２のフィンガ７は舌部１９の端に配置されている。回し車に対して直径方向に動くことができる第２のプレート２２が、第１のプレート１７の上に配置されている。それは、図４に示していない適当な手段によって軸方向の所定位置に保持されている。この第２のプレート２２は第１の引っ掛け部２３を有し、これは、第２のフィンガ７の背面２４付近で第１のプレート１７を貫通して、さらに回し車５に形成された第１の楕円形開口部２５を貫通している。第２のプレート２２も、同様に第２の引っ掛け部２６を有し、これは、舌部１９の背面２７付近で第１のプレート１７を貫通して、さらに回し車５に形成された第２の楕円形開口部２８を貫通している。最後に、この第２のプレート２２は、第１の引っ掛け部２３および第２のフィンガ７と直径方向反対側に、ヒール部２９を有している。ヒール部２９は、図１および図５〜１２に示すように、月カム１１の突起部３０〜３４の軌道内にあるように配置されている。従って、ヒール部２９が月カム１１の突起部３０によって矢印Ａの方向に押されると（図１参照）、これにより、第２のフィンガ７が第１の引っ掛け部２３を介して矢印Ｂの方向に押されて、日リング１の歯４の軌道内に入り込み、リングを一段階追加して前に進める。
【００１６】
本発明による年間カレンダの動作について、以下、図５ａ、ｂ〜１２ａ、ｂを参照して記載し、これにより、４月から５月への変化を例にとって、３１日に満たない月からその翌月への変化について説明する。
【００１７】
図５ａは、時刻ｔ０すなわち４月３０日の時刻２２：００における年間カレンダ装置の様子を示しており、一方、図５ｂは、同じ時刻ｔ０における装置の詳細をより大きい縮尺で示しており、つまり、回し車５により保持される機構１０、および月星形車１２が上に取り付けられている月カム１１を示すものである。時計のモータ部材により駆動されて、回し車５は、それに接続されている機構１０と共に矢印Ｅの方向に回転する。時刻２２：００において、機構１０のフィンガ６が、日リング１の歯４と接触するように入り込む。リング１は、静止したままであり、リングを位置決めしている第１のジャンパばね４０は、リング１の第１のレベル２０において２つの歯４ａ、４ｂの間に位置している。歯部８は、ここでは、リング１の第２のレベル２１に位置する２つの歯８ａ、８ｂを有している。これらの歯は、どちらも中間伝え車１３とかみ合っておらず、中間伝え車は静止しており、それに接続している月星形車１２も同様である。第２のジャンパばね４２は、星形車１２の２つの歯４３、４４の間に位置して、この星形車を位置決めしている。
【００１８】
図６ａおよび６ｂは、時刻ｔ１すなわち４月３０日の時刻２２：４５における装置の状態を示している。矢印Ｅの方向に回転を継続し、この間に、機構１０のフィンガ６がリング１を矢印Ｆの方向に駆動する。リング１の歯部の歯８ａが、中間車１３の歯４１と接触するように入り込み、ジャンパばね４０がリング１の歯４ｂに乗り上げる。数字“３０”が窓３から見えなくなり始める。
【００１９】
図７ａおよび７ｂは、時刻ｔ２すなわち４月３０日の時刻２３：２０における装置の状態を示している。フィンガ６は、依然として矢印Ｆの方向に駆動されていて、リング１も同様であり、歯８ａが中間車１３を矢印Ｋの方向に駆動し、これにより、星形車１２とこれに接続されたカム１１が矢印Ｈの方向に駆動される。これらの図に示していない月ディスク１４も、矢印Ｈの方向に回転し、４月を表す第１の単語ＡＰＲが窓１６から見えなくなり始める。数字“３１”が窓３の中に見え始める。ジャンパばね４２が、星形車１２の歯４３に乗り上げる。
【００２０】
図８ａおよび８ｂは、時刻ｔ３すなわち５月１日の時刻００：００における装置の状態を示している。矢印Ｆの方向に回転を継続し、この間、リング１の歯８ａは、依然として中間車１３を矢印Ｋの方向に、星形車１２を矢印Ｈの方向に駆動し、そして、ジャンパばね４２が同じ方向に歯４３を押して星形車の歯４３、４４の間に位置付けられるようになる。回転する間に、カム１１の突起部３０が、機構１０のヒール部２９の底に接触するように入り込む。数字“３０”は窓３から完全に見えなくなり、これによって、数字“３１”が窓３の中に見えるようになり、第２の単語ＡＰＲの全体が窓１６の中に見えるようになる。フィンガ６は、リング１の歯４から完全に解放され、ジャンパばね４０が再びリング１の歯４ｂ、４ｄの間に落ち込んで、これによりリングが正確に位置付けられる。
【００２１】
図９ａおよび９ｂは、時刻ｔ４すなわち５月１日の時刻００：３０における装置の状態を示している。矢印Ｅの方向に回転する間に、機構１０のヒール部２９がカム１１の突起部３０に乗り上げ、これによって、上記で図３および４を参照して機構について記載した際に説明したように、機構のフィンガ７をリング１の歯４の軌道内に押し込むという効果が得られる。フィンガ７は、図９ｂに示すように、リング１の歯４ｃに当接する。この時点では、リング１も、ディスク１４も動いていない。
【００２２】
図１０ａおよび１０ｂは、時刻ｔ５すなわち５月１日の時刻０１：１５における装置の状態を示している。矢印Ｅの方向に回転を継続し、この間、回し車５は、依然としてリング１の歯４ｃとかみ合った状態にあって、機構１０のフィンガ７を介してリングを矢印Ｆの方向に前進させており、カム１１の突起部３０は依然として機構１０のヒール部２９に当接している。ここで、リング１の歯部８の歯８ｂは、中間車１３の歯４５に当接しているが、まだそれを駆動してはいない。数字“３１”が窓３から見えなくなり始める。そして遂に、ジャンパばね４０がリング１の歯４ｄに乗り上げ始める。
【００２３】
図１１ａおよび１１ｂは、時刻ｔ６すなわち５月１日の時刻０２：００における装置の状態を示している。矢印Ｆの方向に回転する間に、歯部８の歯８ｂを介して、リング１は中間車１３を矢印Ｋの方向に駆動し、これにより、星形車１２および月ディスク１４が矢印Ｈの方向に駆動される。単語ＡＰＲが見えなくなり始め、これに代わって単語ＭＡＩ（ＭＡＹ）が窓１６の中に見えるようになる。矢印Ｆの方向に回転する間に、リング１によって、そのリング１の歯４ｃとフィンガ７との作用により、数字“３１”は見えなくなり、数字“１”が窓３の中に取り込まれる。カム１１の突起部３０は、依然として機構１０のヒール部２９に当接したままである。
【００２４】
図１２ａおよび１２ｂは、時刻ｔ７すなわち５月１日の時刻０２：３０での、３１日に満たない月から翌月への変化の終わりを示している。歯部８の歯８ｂは、矢印Ｋの方向への中間車１３の歯４５の駆動を完了する。この間に、中間車が、星形車１２およびそれに接続されている月ディスク１４を矢印Ｈの方向に回転させる。これにより、ジャンパばね４２が、星形車１２の歯４４、４６の間に入り込んで、窓１６の中で単語ＭＡＩを確実に位置付ける。矢印Ｈの方向に回転することにより、カム１１はヒール部２９を突起部３０から解放し、これによって、フィンガ７は、リング１の歯４の軌道外に押し戻される。同様に、矢印Ｆの方向に回転することにより、ジャンパばね４０は、リング１を押すことを終えて、リング１を歯４ｄ、４ｅの間に位置付け、これにより窓３の中に数字“１”を表示させる。
【００２５】
上記で提示した本発明の装置により可能となるエネルギー節減に加えて、この装置は、ジャンパばねを２つしか必要としないものであって、一方のジャンパばね４０は日リング１の歯４に作用するものであり、もう一方のジャンパばね４２は月星形車１２に作用するものであることを、以上の説明により示している。
【図１】
0005592415.tif 000002
【図２】
0005592415.tif 000003
【図３】
0005592415.tif 000004
【図４】
0005592415.tif 000005
【図５ａ】
0005592415.tif 000006
【図５ｂ】
0005592415.tif 000007
【図６ａ】
0005592415.tif 000008
【図６ｂ】
0005592415.tif 000009
【図７ａ】
0005592415.tif 000010
【図７ｂ】
0005592415.tif 000011
【図８ａ】
0005592415.tif 000012
【図８ｂ】
0005592415.tif 000013
【図９ａ】
0005592415.tif 000014
【図９ｂ】
0005592415.tif 000015
【図１０ａ】
0005592415.tif 000016
【図１０ｂ】
0005592415.tif 000017
【図１１ａ】
0005592415.tif 000018
【図１１ｂ】
0005592415.tif 000019
【図１２ａ】
0005592415.tif 000020
【図１２ｂ】
0005592415.tif 000021